(57)【要約】【課題】パネル計器に対する調整・設定を、例えば机上において簡易に行うことのできるパネル計器用調整治具を提供する。【解決手段】電源端子を含む端子部を背面に備えると共に底面に通信用コネクタを備え、パネル面に計装して用いられるパネル計器が載置される載置台と、この載置台上に前記パネル計器の背面を下向きにして導くと共に、該パネル計器の載置位置を規制するガイド部と、前記載置台上に突出させて設けられ、該載置台に載置されたパネル計器の電源端子に当接して該パネル計器に電力を供給する電源供給ピンとを備える。更に前記載置台上に突出し該載置台に載置されたパネル計器の背面により押圧されたときに導通して前記電源供給ピンに電力を供給する電源スイッチを備える。【選択図】図２
2008058225.tif 000002
【特許請求の範囲】
【請求項１】
電源端子を含む端子部を背面に備えると共に底面に通信用コネクタを備え、パネル面に計装して用いられるパネル計器の動作条件を、非計装状態で設定または調整する際に用いる治具であって、
前記パネル計器が載置される載置台と、
この載置台上に前記パネル計器の背面を下向きにして導くと共に、該パネル計器の載置位置を規制するガイド部と、
前記載置台上に突出させて設けられ、該載置台に載置されたパネル計器の電源端子に当接して該パネル計器に電力を供給する電源供給ピンと
を具備したことを特徴とするパネル計器用調整治具。
【請求項２】
前記パネル計器は、略直方体形状の筐体に組み込まれ、その前面に該筐体の前面部よりも広い面積領域を有する表示・操作パネルを装着したものであって、
前記ガイド部は、前記載置台の周縁部に設けられ、前記パネル計器の背面側における前記筐体の周縁に当接して該パネル計器を前記載置台側に向けてガイドする凸状体からなる請求項１に記載のパネル計器用調整治具。
【請求項３】
前記電源供給ピンは、ばねにより付勢されてその先端部を前記載置台上に突出させたものであって、上記ばねの弾性力により前記パネル計器の電源端子に圧接されるものである請求項１に記載のパネル計器用調整治具。
【請求項４】
請求項１〜３のいずれかに記載のパネル計器用調整治具において、
更に前記載置台上に突出させて設けられ、該載置台に載置されたパネル計器の背面により押圧されたときに導通して前記電源供給ピンに電力を供給する電源スイッチを備えることを特徴とするパネル計器用調整治具。
【請求項５】
請求項１〜３のいずれかに記載のパネル計器用調整治具において、
更に前記載置台に載置されたパネル計器を該載置台側に向けて押え込んで該パネル計器を前記載置台上に保持する保持手段を備えることを特徴とするパネル計器用調整治具。
【発明の詳細な説明】
【技術分野】
【０００１】
本発明は、電源端子を含む端子部を背面に備えると共に底面に通信用コネクタを備え、パネル面に計装して用いられるパネル計器の動作条件を、非計装状態で設定または調整する際に用いるに好適なパネル計器用調整治具に関する。
【背景技術】
【０００２】
制御盤等のパネル面に計装して用いられる温調計等のパネル計器は、例えば図３に右下から見た斜視図を示すように略直方体形状の筐体１に組み込まれ、その前面に該筐体１の前面部よりも広い面積領域を有する表示・操作パネル２を装着した構造を有する。ちなみに表示・操作パネル２は、例えば複数桁の数字表示器からなるディスプレイ２ａや、複数の操作ボタン（スイッチ）２ｂ等を設けたものからなる（例えば特許文献１を参照）。
【０００３】
またこの種のパネル計器は、複数個、横並びにして計装されることが多いことから、図４に背面側から見た斜視図を示すように、一般的にはその背面に電源端子を含む端子部３がまとめて設けられ、またその底面には通信用コネクタ４が設けられる。
【特許文献１】特開２００５−２４５１１号公報
【発明の開示】
【発明が解決しようとする課題】
【０００４】
ところでこの種のパネル計器の動作条件等を定める設定項目は、その多機能化に伴って益々多くなる傾向にあるが、その設定または調整は、通常、パネル計器の電源を投入した状態でしか行い得ない。これ故、その設定または調整は、一般的には制御盤等のパネル面に計装した状態で行われる。しかしながら複数のパネル計器に対して同様な設定を行うような場合、複数のパネル計器を制御盤等のパネル面に計装する前に、つまり非計装状態のままその設定を行いたいと言う要求が強い。しかし個々のパネル計器の電源端子にその都度、電源接続を行うには手間が掛かり、非常に煩わしいと言う問題がある。
【０００５】
本発明はこのような事情を考慮してなされたもので、その目的は、例えば机上においてパネル計器に対する調整・設定を簡易に行うことのできるパネル計器用調整治具を提供することにある。
【課題を解決するための手段】
【０００６】
上述した目的を達成するべく本発明に係るパネル計器用調整治具は、電源端子を含む端子部を背面に備えると共に底面に通信用コネクタを備え、パネル面に計装して用いられるパネル計器の動作条件を、非計装状態で設定または調整する際に用いるに好適なものであって、
<ａ>  前記パネル計器が載置される載置台と、
<ｂ>  この載置台上に前記パネル計器の背面を下向きにして導くと共に、該パネル計器の載置位置を規制するガイド部と、
<ｃ>  前記載置台上に突出させて設けられ、該載置台に載置されたパネル計器の電源端子に当接して該パネル計器に電力を供給する電源供給ピンと
を備えたことを特徴としている。
【０００７】
ちなみに前記パネル計器は、例えば略直方体形状の筐体に組み込まれ、その前面に該筐体の前面部よりも広い面積領域を有する表示・操作パネルを装着したものであって、このようなパネル計器を前記載置台上に導く前記ガイド部は、例えば前記載置台の周縁部に設けられ、前記パネル計器の背面側における前記筐体の周縁に当接して該パネル計器を前記載置台側に向けてガイドする凸状体として実現される。
【０００８】
また好ましくは前記電源供給ピンは、ばねにより付勢されてその先端部を前記載置台上に突出させたものであって、上記ばねの弾性力により前記パネル計器の電源端子に圧接されるものからなる。
尚、更に前記載置台上に突出させて、該載置台に載置されたパネル計器の背面により押圧されたときに導通して前記電源供給ピンに電力を供給する電源スイッチを設けることが好ましい。また更に前記載置台に載置されたパネル計器を該載置台側に向けて押え込んで該パネル計器を前記載置台上に保持する保持手段を備えることも好ましい。このような保持手段を備えれば、パネル計器の自重が軽いような場合であっても、前記電源端子と電源供給ピンとの当接（接触による電源供給）を確実にすることができるので、その設定・調整を安定に行うことが可能となる。
【発明の効果】
【０００９】
本発明に係るパネル計器用調整治具を用いれば、計装前のパネル計器を上記パネル計器用調整治具の載置台上に載置するだけで該パネル計器に対する電源供給を簡易に行うことができるので、その設定・調整を簡易に行うことができる。しかもパネル計器の背面側を下向きにしてパネル計器用調整治具上に載置するだけで良く、その前面に設けられた表示・操作パネルを上方に向けて位置付けることができるので、該表示・操作パネルの操作が容易である。しかもパネル計器の底面側を開放することができるので、通信用コネクタへのケーブル（コネクタ）の装脱が容易である等の効果が奏せられる。
【発明を実施するための最良の形態】
【００１０】
以下、図面を参照して本発明の一実施形態に係るパネル計器用調整治具について説明する。
図１はこの実施形態に係るパネル計器用調整治具の概略構成を示す外観斜視図であり、図２はその内部構造を概略的に示す断面図である。このパネル計器用調整治具は、その上面に図１に示したパネル計器の背面と略同程度の大きさの載置台１１を形成した略直方体形状の箱形のものであって、この載置台１１の周縁部にはその上面側に突出して該載置台１１の辺部をなす凸状体からなるガイド部１２が設けられている。特に載置台１１の奥部に突出するガイド部１２ａは、パネル計器の奥行き長よりも若干長い高さの直立した壁面を形成しており、その上端部は内側向けて折曲されて後述するストッパ部１３を形成している。また手前側および両側部の残りのガイド部１２ｂ,１２ｃ,１２ｄは、前記パネル計器の背面に設けられた端子部３を覆う高さの凸状体からなり、それぞれその外側に向けて所定角度ずつ傾斜させて設けられている。
【００１１】
これらのガイド部１２（１２ａ,１２ｂ,１２ｃ,１２ｄ）は、パネル計器の前面に設けられた表示・操作パネル２の縁部に当接することで、該表示・操作パネル２側を下向きにした状態での前記パネル計器の載置台１１上への載置を阻止し、前記パネル計器の背面側を下向きにした状態での前記載置台１１上への載置を許容するもので、パネル計器の背面側における前記筐体１の周縁に当接して該パネル計器を前記載置台１１側に向けてガイドし、その載置位置を規定する役割を担う。
【００１２】
また前記載置台１１には、載置台１１上に突出して該載置台１１に載置されたパネル計器の電源端子に当接して該パネル計器に電力を供給する一対の電源供給ピン１４ａ,１４ｂが設けられている。これらの電源供給ピン１４ａ,１４ｂは、その軸方向に進退自在に支持され、内蔵したばねにより付勢されてその先端部を前記載置台１１上に突出させたものからなる。そして載置台１１にパネル計器が載置されたとき、該パネル計器の電源端子に当接することで前記ばねに抗してその内側に押し込められ、前記ばねの弾性力により前記電源端子に圧接されるものである。
【００１３】
また前記載置台１１には、載置台１１上に突出して該載置台１１に載置されたパネル計器の裏面により押圧されたときに導通して前記電源供給ピン１４ａ,１４ｂに電力を供給する電源スイッチ１５が設けられている。この電源スイッチ１５は、載置台１１にパネル計器が載置されていないとき、前記電源供給ピン１４ａ,１４ｂへの電力供給を禁止する安全スイッチとしての役割を担う。
【００１４】
尚、電源供給ピン１４ａ,１４ｂは、前記パネル計器の背面に設けられた端子部３の電源端子が配列された位置に対応する部位に設けられることは言うまでもない。また前記電源スイッチ１５は、前記端子部３の上述した電源端子が設けられた部位以外の部位に当接して押圧付勢されるように設けられる。また前記載置台１１には、例えばパネル計器を載置する向きを示すガイドマーク１６が付される。このガイドマーク１６としては、パネル計器の向きを指定する矢印のようなものであっても良いが、パネル計器の表示・操作パネル２のレイアウト構造を示すシールのようなものであっても良い。また誤搭載を防止する突起等を設けることにより、他の端子に電源電圧が印加されないように工夫することも有用である。
【００１５】
このようなパネル計器用調整治具を用いたパネル計器の設定・調整は、図２に例示するようにパネル計器の背面側を下向きにし、前述したガイド部１２ｂ,１２ｃ,１２ｄに沿わせて該パネル計器を載置台１１上に載置し、該パネル計器の表示・操作パネル２の上端部を前記ストッパ部１３の下面側に係止させることによってなされる。この表示・操作パネル２の上端部の前記ストッパ部１３への係止によって、載置台１１上に載置されたパネル計器の浮き上がりが阻止され、該パネル計器は載置台１１上に安定に保持される。
【００１６】
そして載置台１１に設けられた電源供給ピン１４ａ,１４ｂは、該載置台１１上に安定に保持されたパネル計器の電源端子に圧接し、また前記電源スイッチ１５は上記パネル計器の背面に当接して押圧付勢されるので、上記電源スイッチ１５から電源供給ピン１４ａ,１４ｂを介してパネル計器に電源供給されることになる。従ってパネル計器をパネル計器用調整治具の載置台１１上に載置するだけで該パネル計器に対する電源供給を可能とし、表示・操作パネル２の操作ボタン（スイッチ）２ｂを適宜操作することでその動作条件等を簡易に設定・調整することが可能となる。
【００１７】
また載置台１１上に載置したパネル計器の底面側が開放されているので、その底面に設けた通信用コネクタ４にローダ（図示せず）のプラグを装着し、上記ローダを用いたパネル計器の設定・調整も簡易に行うことが可能となる。従ってこの種のパネル計器の動作条件等を、非計装状態のまま簡易に設定・調整することが可能となり、その実用的利点が多大である。
【００１８】
尚、本発明は上述した実施形態に限定されるものではない。例えば載置台１１の上面に張り渡した紐状の弾性体を該載置台１１上に載置したパネル計器の前面に引っ掛けることで、その保持を行うようにすることも可能である。また前述した電源供給ピン１４ａ,１４ｂ以外にも前記端子部３の入出力端子等に接触可能な端子接続ピンを設けておき、これらの端子接続ピンを介してパネル計器の入出力端子等を適宜外部接続し得るように構成しておくことも可能である。その他、本発明はその要旨を逸脱しない範囲で種々変形して実施することができる。
【図面の簡単な説明】
【００１９】
【図１】本発明の一実施形態に係るパネル計器用調整治具の概略構成を示す外観斜視図。
【図２】図１に示すパネル計器用調整治具の内部構造を概略的に示す断面図。
【図３】パネル計器の概略構造を示す外観斜視図。
【図４】図３に示すパネル計器を背面側から見た斜視図。
【符号の説明】
【００２０】
１１  載置台
１２  ガイド部
１３  ストッパ部
１４ａ,１４ｂ  電源供給ピン
１５  電源スイッチ
１６  ガイドマーク
【図１】
2008058225.tif 000003
【図２】
2008058225.tif 000004
【図３】
2008058225.tif 000005
【図４】
2008058225.tif 000006